(57)【特許請求の範囲】
【請求項１】
建物の基礎上面に沿って複数の土台部材を配設するとともに、対向する土台部材間の所定の位置に複数の大引部材をそれぞれ架設して床枠を形成し、
その後、床板を支持する複数の床根太部材を、前記複数の大引部材と直交する方向に前記床枠上に架設するに際し、
前記床枠の外周部の上面に、前記複数の床根太部材と平行する複数の側根太部材と、前記複数の床根太部材と直交し、かつこれら複数の床根太部材の端部が取付固定される複数の端根太部材とを配設しておくとともに、
前記端根太部材の内側面に、複数のガイド部材を前記床根太部材の端部が嵌まり込む間隔で前記端根太部材の長さ方向に沿って取り付けておき、
さらに、前記側根太部材等の各根太部材と略同様の高さを有する略矩形状のガイド板材を前記大引部材の上面に所定の間隔で複数設けることによって凹部を複数形成するとともに、各凹部間の高さを、前記側根太部材等の各根太部材と略同様の高さとし、これら複数の凹部を、前記複数の床根太部材が嵌め込まれ、かつ、これら複数の床根太部材を前記大引部材と直交する方向に案内するガイド部として、予め前記複数の大引部材の上面に設けておき、
前記床根太部材を前記大引部材と直交する方向に配置するとともに、床根太部材の端部を前記ガイド部材間に嵌め込むことを特徴とする建物床部の施工方法。
【請求項２】
請求項１に記載の建物床部の施工方法において、
前記複数の大引部材の端部を受ける複数の大引受け金物を、予め前記対向する土台部材の側面に向き合うようにして取り付けておくことを特徴とする建物床部の施工方法。
【請求項３】
請求項１または２に記載の建物床部の施工方法において、
前記床枠の外周部上に配設された前記複数の端根太部材どうし間の距離が、これら複数の端根太部材間に取り付けられる前記複数の床根太部材の長さ寸法よりも大きい場合に、前記複数の端根太部材と平行する補助根太部材を前記床枠内部の所定の位置に配設して、この補助根太部材と前記複数の端根太部材との間に前記複数の床根太部材を取り付けることを特徴とする建物床部の施工方法。
【請求項４】
請求項３に記載の建物床部の施工方法において、
前記補助根太部材の両側面に、複数のガイド部材を前記床根太部材の端部が嵌まり込む間隔で前記補助根太部材の長さ方向に沿って取り付けておき、
前記床根太部材を前記大引部材と直交する方向に配置するとともに、床根太部材の端部を前記ガイド部材間に嵌め込むことを特徴とする建物床部の施工方法。
【請求項５】
請求項１〜４のいずれか一項に記載の建物床部の施工方法において、
前記床枠の外周部より外部側に張り出す張出部を形成するに際し、
前記床枠上に、前記床枠の外周部よりも所定の長さ突出する複数の突出床根太部材を、前記床枠の外周部と直交する方向に配設しておくとともに、
前記複数の突出床根太部材のうち、左右両端に位置する突出床根太部材の先端部どうし間にわたって設けられる張出根太部材の内側面に、複数のガイド部材を前記突出床根太部材の端部が嵌まり込む間隔で前記張出根太部材の長さ方向に沿って取り付けておき、
前記複数の突出床根太部材を前記床枠の外周部と直交する方向に配置するとともに、複数の突出床根太部材を、その端部が前記隣り合うガイド部材の間に嵌め込まれるようにして設けることを特徴とする建物床部の施工方法。
【請求項６】
請求項５に記載の建物床部の施工方法において、
前記複数の突出床根太部材の途中が嵌め込まれ、かつこれら複数の突出床根太部材を前記床枠の外周部と直交する方向に案内する複数の案内部材を、予め前記床枠の上面に取り付けておくことを特徴とする建物床部の施工方法。
【発明の詳細な説明】
【技術分野】
【０００１】
本発明は、建物の基礎上に複数の土台部材および大引部材からなる床枠を形成し、その後、床板を支持する複数の床根太部材を前記床枠上に架設して建物の床部を施工する建物床部の施工方法に関する。
【背景技術】
【０００２】
従来、２×４インチ等の規格化された木材で枠組を作成し、この枠組に対し、構造用合板等の面材を取り付けて建物を構築する枠組壁工法が知られている。また、前記木材を予め工場で採寸、切断および座掘り加工しておくことによって、現場での作業量を減らすことが可能な技術も知られている。
【０００３】
以上のような建物の構築方法によれば、建物や敷地条件に左右されること無く建物を構築することができるという利点がある。
ところが、このような方法で作業を行う場合は、現場に納入される木材等の建築材料の数が非常に多く、その分だけ作業手間が増えるので、工期が長くなってしまうだけでなく、正確な作業手順等を熟知した多くの熟練作業者を確保しなければならないという問題があった。
【０００４】
そこで、このような問題を解決すべく、予め工場で前記木材をパネル化しておき、このようにパネル化したものを現場でクレーンによって建て込むだけで、比較的容易に建物を構築することができるような技術が開発されている（例えば、特許文献１参照）。
【特許文献１】特開２０００−２５７１５２号公報
【発明の開示】
【発明が解決しようとする課題】
【０００５】
ところで、上記特許文献１に記載の技術においては、現場作業者にそれほど高い技能が無くとも品質が安定するということと、工期を短縮することができるという利点がある。
しかし、このように木材をパネル化したものを用いた場合は、パネル化しない場合に比して生産に係るコストが高くなるだけでなく、材料がパネル化して大きくなった分、輸送に係るコストも高くなってしまう場合があった。
【０００６】
そこで、以上のような諸問題を解決し得る技術の開発が強く望まれていた。特に、建物床部においては、例えば土台部材や大引部材、床根太部材等の建築材料が多く用いられるので、作業の簡略化や工期の短縮等、より施工性を向上させたいという要望が強かった。
【０００７】
本発明の課題は、建物全体の施工性について総合的に考慮しつつ、特に、建物床部の施工性を格段に向上させることが可能な建物床部の施工方法を提供することを目的とする。
【課題を解決するための手段】
【０００８】
請求項１に記載の発明は、例えば図１〜図９に示すように、建物の基礎１上面に沿って複数の土台部材２を配設するとともに、対向する土台部材２、２間の所定の位置に複数の大引部材３をそれぞれ架設して床枠４を形成し、
その後、床板を支持する複数の床根太部材５を、前記複数の大引部材３と直交する方向に前記床枠４上に架設するに際し、
前記床枠４の外周部の上面に、前記複数の床根太部材５と平行する複数の側根太部材６と、前記複数の床根太部材５と直交し、かつこれら複数の床根太部材５の端部が取付固定される複数の端根太部材７とを配設しておくとともに、
前記端根太部材７の内側面に、複数のガイド部材８を前記床根太部材５の端部が嵌まり込む間隔で前記端根太部材７の長さ方向に沿って取り付けておき、
さらに、前記側根太部材６等の各根太部材５，６，７と略同様の高さを有する略矩形状のガイド板材１０ａを前記大引部材３の上面に所定の間隔で複数設けることによって凹部を複数形成するとともに、各凹部間の高さを、前記側根太部材６等の各根太部材５，６，７と略同様の高さとし、これら複数の凹部を、前記複数の床根太部材５が嵌め込まれ、かつ、これら複数の床根太部材５を前記大引部材３と直交する方向に案内するガイド部１０として、予め前記複数の大引部材３の上面に設けておき、
前記床根太部材５を前記大引部材３と直交する方向に配置するとともに、床根太部材５の端部を前記ガイド部材８、８間に嵌め込むことを特徴とする。
【０００９】
請求項１に記載の発明によれば、前記端根太部材７の内側面に、前記複数のガイド部材８を前記複数の床根太部材５の端部が嵌まり込む間隔で取り付けておくことから、前記床枠４の外周部の上面に前記端根太部材７を配設した際に、前記複数の床根太部材５の端部
を、前記複数のガイド部材８、８間に嵌め込むだけで、前記床根太部材５を正確な位置に取り付けることができるので、この床根太部材５の取り付け精度を格段に向上させること可能となる。その上、前記複数のガイド部材８を予め前記端根太部材７に取り付けておくことによって、現場に納入される建築材料の数を減らすこともきるので、その分だけ作業量および作業手間を減らして、建物床部Ａの作業性を格段に向上させることができるとともに、建物床部Ａの、延いては建物全体の施工工期を短縮することが可能となる。
しかも、このように前記床根太部材５の位置決めを容易に、かつ正確に行うことができることから、熟練作業者でなくとも作業を行うことができるので、施工品質の安定性も格段に向上する。
一方、従来とは異なり、前記土台部材２や大引部材３、各根太部材等の建築材料をパネル化せずに施工に用いるので、建物や敷地条件に左右されること無く作業を行うことができるとともに、生産および輸送に係るコストを低減することが可能となる。
したがって、前記端根太部材７の内側面に、複数のガイド部材８を前記床根太部材５の端部が嵌まり込む間隔で前記端根太部材７の長さ方向に沿って取り付けておくことによって、建物全体の施工性について総合的に考慮しつつ、特に建物床部Ａの施工性を格段に向上させることが可能となる。
また、予め前記複数の大引部材３の上面に前記ガイド部１０を設けておくことによって、前記複数の床根太部材５を前記ガイド部１０に嵌め込みながら前記床枠４上に架設することができるので、前記複数の床根太部材５を前記大引部材３と直交する方向に容易に、かつ正確に案内することができる。これによって、前記複数の床根太部材５の取り付け作業を簡略化することができるとともに、施工工期の短縮を図ることが可能となり、延いては建物床部Ａの施工性を向上させることが可能となる。
【００１０】
請求項２に記載の発明は、例えば図２〜図４、図７に示すように、請求項１に記載の建物床部Ａの施工方法において、
前記複数の大引部材３の端部を受ける複数の大引受け金物９を、予め前記対向する土台部材２の側面に向き合うようにして取り付けておくことを特徴とする。
【００１１】
請求項２に記載の発明によれば、前記複数の大引受け金物９を、予め前記対向する土台部材２の側面に向き合うようにして取り付けておくことによって、前記大引部材３を前記複数の大引部材３間に架け渡すだけで、前記対向する土台部材２、２間に前記大引部材３を容易に、かつ正確に取り付けることができる。これによって、前記複数の大引部材３の取り付け作業を簡略化することができるとともに、施工工期の短縮を図ることが可能となり、延いては建物床部Ａの施工性を向上させることが可能となる。
【００１４】
請求項３に記載の発明は、例えば図４および図５に示すように、請求項１または２に記載の建物床部Ａの施工方法において、
前記床枠４の外周部上に配設された前記複数の端根太部材７、７どうし間の距離が、これら複数の端根太部材７、７間に取り付けられる前記複数の床根太部材５の長さ寸法よりも大きい場合に、前記複数の端根太部材７と平行する補助根太部材１１を前記床枠４内部の所定の位置に配設して、この補助根太部材１１と前記複数の端根太部材７との間に前記複数の床根太部材５を取り付けることを特徴とする。
【００１５】
請求項３に記載の発明によれば、前記床枠４の外周部上に配設された前記複数の端根太
部材７、７どうし間の距離が、前記複数の床根太部材５の長さ寸法よりも大きい場合でも、前記床枠４内部の所定の位置に前記補助根太部材１１を配設することによって、前記補助根太部材１１から前記複数の端根太部材７までの距離を短くできるので、この間に前記複数の床根太部材５を取り付けることができ、これによって、これら複数の床根太部材５上に設置される床板を確実に、かつ強固に支持することが可能となる。
【００１６】
請求項４に記載の発明は、例えば図５に示すように、請求項３に記載の建物床部Ａの施工方法において、
前記補助根太部材１１の両側面に、複数のガイド部材８を前記床根太部材５の端部が嵌まり込む間隔で前記補助根太部材１１の長さ方向に沿って取り付けておき、
前記床根太部材５を前記大引部材３と直交する方向に配置するとともに、床根太部材５の端部を前記ガイド部材８、８間に嵌め込むことを特徴とする。
【００１７】
請求項４に記載の発明によれば、前記補助根太部材１１の両側面に、前記複数のガイド部材８を前記複数の床根太部材５の端部が嵌まり込む間隔で取り付けておくことから、前記床枠４内部の所定の位置に前記補助根太部材１１を配設した際に、前記複数の床根太部材５の端部を、前記複数のガイド部材８、８間に嵌め込むだけで、前記床根太部材５を正確な位置に取り付けることができるので、この床根太部材５の取り付け精度を格段に向上させることが可能となる。その上、前記複数のガイド部材８を予め前記補助根太部材１１に取り付けておくことによって、現場に納入される建築材料の数を減らすこともきるので、その分だけ作業量および作業手間を減らして、建物床部Ａの作業性を格段に向上させることができるとともに、建物床部Ａの、延いては建物全体の施工工期を短縮することが可能となる。
【００１８】
請求項５に記載の発明は、例えば図１０および図１１に示すように、請求項１〜４のいずれか一項に記載の建物床部Ａの施工方法において、
前記床枠４の外周部より外部側に張り出す張出部Ｂを形成するに際し、
前記床枠４上に、前記床枠４の外周部よりも所定の長さ突出する複数の突出床根太部材１５を、前記床枠４の外周部と直交する方向に配設しておくとともに、
前記複数の突出床根太部材１５のうち、左右両端に位置する突出床根太部材１５、１５の先端部どうし間にわたって設けられる張出根太部材１６の内側面に、複数のガイド部材８を前記突出床根太部材１５の端部が嵌まり込む間隔で前記張出根太部材１６の長さ方向に沿って取り付けておき、
前記複数の突出床根太部材１５を前記床枠４の外周部と直交する方向に配置するとともに、複数の突出床根太部材１５を、その端部が前記隣り合うガイド部材８、８の間に嵌め
込まれるようにして設けることを特徴とする。
【００１９】
請求項５に記載の発明によれば、前記張出根太部材１６の内側面に、前記複数のガイド部材８を前記突出床根太部材１５の端部が嵌まり込む間隔で取り付けておくことによって、前記左右両端の突出床根太部材１５、１５の先端部どうし間にわたって前記張出根太部材１６を設ける際に、前記複数の突出床根太部材１５の端部を前記隣り合うガイド部材８、８の間に嵌め込むだけで、前記張出根太部材１６を正確な位置に取り付けることができるので、この張出根太部材１６の取り付け精度を格段に向上させることが可能となる。
その上、前記複数のガイド部材８を予め前記張出根太部材１６に取り付けておくことによって、現場に納入される建築材料の数を減らすこともできるので、その分だけ作業量および作業手間を減らして、張出部Ｂの作業性を格段に向上させることができるとともに、張出部Ｂの、延いては建物全体の施工工期を短縮することが可能となる。
一方、前記突出床根太部材１５を前記床枠４上に配設し、前記床枠４より外部側に張り出した部分を前記張出部Ｂとすることによって、この張出部Ｂを建物床部Ａと連続的に形成することができるので、張出部Ｂにおける構造安定性を確保することが可能となる。
【００２０】
請求項６に記載の発明は、例えば図１０に示すように、請求項６に記載の建物床部Ａの施工方法において、
前記複数の突出床根太部材１５の途中が嵌め込まれ、かつこれら複数の突出床根太部材１５を前記床枠４の外周部と直交する方向に案内する複数の案内部材１７を、予め前記床枠４の上面に取り付けておくことを特徴とする。
【００２１】
請求項６に記載の発明によれば、予め前記床枠４の上面に前記案内部材１７を取り付けておくことによって、前記複数の突出床根太部材１５を前記複数の案内部材１７、１７間に嵌め込みながら前記床枠４上に配設することができるので、前記複数の突出床根太部材１５を前記床枠４と直交する方向に容易に、かつ正確に案内することができる。これによって、前記複数の突出床根太部材１５の取り付け作業を簡略化することができ、これとともに、施工工期の短縮を図ることが可能となる。
【発明の効果】
【００２２】
本発明によれば、床枠の外周部の上面に配設される端根太部材の内側面に、複数のガイド部材を複数の床根太部材の端部が嵌まり込む間隔で取り付けておくことによって、前記床根太部材の位置決めを容易に、かつ正確に行うことができるので、施工品質の安定性に優れ、なおかつ、建物床部の作業性が格段に向上するとともに、建物床部、延いては建物全体の施工工期を短縮することができる。
一方、従来とは異なり、前記土台部材や大引部材、各根太部材等の建築材料をパネル化せずに施工に用いるので、建物や敷地条件に左右されること無く作業を行うことができるとともに、生産および輸送に係るコストを低減することが可能となる。
また、床枠内部に配設される補助根太部材の両側面に、複数のガイド部材を複数の床根太部材の端部が嵌まり込む間隔で取り付けておくことによって、前記床根太部材の位置決めを容易に、かつ正確に行うことができるとともに、前記複数の床根太部材上に設置される床板を確実に、かつ強固に支持することが可能となる。
これによって、建物全体の施工性について総合的に考慮しつつ、特に建物床部の施工性を格段に向上させることが可能となる。
【発明を実施するための最良の形態】
【００２３】
以下、図面を参照して本発明に係る建物床部Ａの施工方法の実施の形態について説明する。なお、本実施の形態の建物床部Ａは、２×４インチの断面を有する木材、または２インチはそのままで４インチの整数倍の断面長さを有する木材を、主として釘打ち工法によって建て、壁全体で支える構造法で構築される。
【００２４】
本実施の形態の建物床部Ａの施工方法は、図１〜図４に示すように、建物の基礎１上面に沿って複数の土台部材２を配設するとともに、対向する土台部材２、２間の所定の位置に複数の大引部材３をそれぞれ架設して床枠４を形成し、
その後、床板を支持する複数の床根太部材５を、前記複数の大引部材３と直交する方向に前記床枠４上に架設して建物の床部Ａを施工するというものである。
【００２５】
ここで、前記基礎１は、図７に示すように、上部構造からの荷重を地盤に伝える下部構
造であり、本実施の形態では、壁の長さ方向に連続した同じ断面の布基礎が使用されている。また、この基礎１にはアンカーボルト（図示せず）が埋め込まれている。
なお、このように本実施の形態では前記基礎１の形式を布基礎としたが、これに限られるものではなく、本発明の趣旨を逸脱しない範囲で適宜変更可能である。
また、前記基礎１と後述する土台部材２との間には、床の下部と外部と換気を行う換気孔（図示せず）を備えたパッキン材１ａが設けられている。
【００２６】
前記土台部材２は、この土台部材２上に配置されるものから伝えられる荷重を前記基礎１に伝える木材であり、図２に示すように、前記基礎１の上面に沿って複数配設されている。
また、この土台部材２には孔部２ａが形成されており、前記基礎１に設けられたアンカーボルトを、この孔部２ａに通すことで前記土台部材２を前記基礎１上面に配設することができるようになっている。
なお、これら複数の土台部材２は、地面に近い位置に配設されるので、防腐防蟻処理が成された木材を用いることが望ましい。
【００２７】
さらに、前記基礎１上面に配設した複数の土台部材２の四隅部には、床枠４全体のひずみを防ぐための補強材である火打ち材２ｂを取り付けておくようにする。また、火打ち材２ｂの端部を受ける前記複数の土台部材の一部を切り欠いておき、前記火打ち材２ｂの取り付け位置に不陸を生じさせないようにする。
そして、火打ち材２ｂを取り付けた位置に浴室スペースＡ１が配置される場合には、図１に示すように、建物床部をＡを構築していく段階で前記火打ち材２ｂを切断しておくようにする。すなわち、浴室スペースＡ１には排水設備やバスタブの設置を行わなければならないので、前記浴室スペースＡの床面は、居室等の床面よりも一段下がった位置に設けなければならないためである。
【００２８】
前記大引部材３は、建物の最下階の床根太部材５を支持する木材であり、図３および図４に示すように、対向する土台部材２、２間の所定の位置にそれぞれ架設されている。また、これら大引部材３の下部には、大引部材３を支持することにより撓みを防ぐ束部材１２（後述する）が所定の間隔で設けられている。
【００２９】
さらに、前記複数の大引部材３を前記対向する土台部材２、２間に架設するに際し、図２〜図４に示すように、前記複数の大引部材３の端部を受ける複数の大引受け金物９を、予め前記対向する土台部材２の側面に向き合うようにして取り付けておくようにする。
また、これら大引受け金物９は、図８（ａ）に示すように、前記土台部材２の側面に固定される固定部９ａと、前記大引部材３を受ける本体部９ｂとを備えている。また、図８（ｂ）に示すように、前記大引部材３を受ける本体部９ｂの一方の側縁から延出して、後述するガイド部１０を形成するガイド板材１０ａを固定するための延出固定部９ｃを備えた構成としても良い。
【００３０】
そして、このように前記複数の大引受け金物９を、予め前記対向する土台部材２の側面に向き合うようにして取り付けておくことによって、前記大引部材３を前記複数の大引部材３間に架け渡すだけで、前記対向する土台部材２、２間に前記大引部材３を容易に、かつ正確に取り付けることができる。したがって、前記複数の大引部材３の取り付け作業を簡略化することができるとともに、施工工期の短縮を図ることが可能となり、延いては建物床部Ａの施工性を向上させることができるようになっている。
なお、これら大引部材３も、前記土台部材２と同様に地面に近い位置に配設されるので、防腐防蟻処理が成された木材を用いることが望ましい。
【００３１】
前記束部材１２は、図２および図７に示すように、前記大引部材３の下部に所定の間隔で設けられた束基礎１３上に設置されるものであり、前記大引部材３と束基礎１３との間に立設され、高さ調整可能に設定された束本体１２ａと、この束本体１２ａの下端に設けられ、前記束基礎１３に固定されるベース部１２ｂと、前記束本体１２ａの上端に設けられ、前記大引部材３を受ける大引受け板部１２ｃとを備えている。
なお、前記束部材１２は、図２中の破線によって描かれた円形部分ごとに設置されて、所定の間隔を開けるようになっている。
【００３２】
前記床根太部材５は、床板を受ける木材であり、図１および図６に示すように、前記大引部材３と直交する方向に複数架け渡されている。
【００３３】
また、図１に示すように、前記複数の床根太部材５を前記大引部材３と直交する方向に架設するに際し、これら複数の床根太部材５の途中が嵌め込まれ、かつ、これら複数の床根太部材５を前記大引部材３と直交する方向に案内するガイド部１０を、予め前記複数の大引部材３の上面に設けておくようにする。
このようなガイド部１０は、図７に示すように、前記側根太部材６と略同様の高さを有し、略矩形状のガイド板材１０ａが前記大引部材３の上面に所定の間隔で設けられることによって形成されており、前記大引部材３の上面に前記床根太部材５の途中を嵌め込むための凹部を複数形成することができるようになっている。
なお、図４および図５に示すように、前記大引部材３上に、後述する補助根太部材１１が配設される場合は、当該箇所の大引部材３上に前記ガイド部１０を設けないようにしておく。
【００３４】
そして、このように予め前記複数の大引部材３の上面に前記ガイド部１０を設けておくことによって、前記複数の床根太部材５を前記ガイド部１０に嵌め込みながら前記床枠４上に架設することができるので、前記複数の床根太部材５を前記大引部材３と直交する方向に容易に、かつ正確に案内することができる。これによって、前記複数の床根太部材５の取り付け作業を簡略化することができるとともに、施工工期の短縮を図ることが可能となり、延いては建物床部Ａの施工性を向上させることができるようになっている。
【００３５】
一方、以上のように前記複数の床根太部材５を前記床枠４上に架設するに際し、予め、前記床枠４の外周部の上面に、前記複数の床根太部材５と平行する複数の側根太部材６と、前記複数の床根太部材５と直交し、かつこれら複数の床根太部材５の端部が取付固定される複数の端根太部材７とを配設しておくとともに、
前記端根太部材７の内側面に、複数のガイド部材８を前記床根太部材５の端部が嵌まり込む間隔で前記端根太部材７の長さ方向に沿って取り付けておき、
前記床根太部材５を前記大引部材３と直交する方向に配置するとともに、床根太部材５の端部を前記ガイド部材８、８間に嵌め込むようにする。
【００３６】
ここで、前記側根太部材６は、図５に示すように、前記床枠４の外周部の上面に、前記複数の床根太部材５と平行する方向に配設される木材である。
さらに、前記複数の側根太部材６は、前記床枠４の一辺の距離が所定寸法よりも長い場合に、少なくとも２つ以上の側根太部材６を継ぎ合わせた状態で前記床枠４上に配設されている。このように床枠４の一辺に配設する側根太部材６を２つ以上の側根太部材６で構成することによって、作業時や輸送時において運びやすくなるという利点がある。
【００３７】
前記端根太部材７は、図５に示すように、前記床枠４の外周部の上面に、前記複数の床根太部材５と直交する方向に配設される木材である。また、これら端根太部材７は、前記複数の床根太部材５の端部が取付固定される。
さらに、前記複数の端根太部材７は、前記床枠４の一辺の距離が所定寸法よりも長い場合に、少なくとも２つ以上の側根太部材７を継ぎ合わせた状態で前記床枠４上に配設されている。このように床枠４の一辺に配設する端根太部材７を２つ以上の端根太部材７で構成することによって、作業時や輸送時において運びやすくなるという利点がある。
【００３８】
前記ガイド部材８は、図５に示すように、前記端根太部材７の内側面において、前記床根太部材５の端部が嵌まり込む間隔で前記端根太部材７の長さ方向に沿って取り付けられており、前記端根太部材７よりも短尺で、略矩形状に形成された板材が用いられている。
なお、上述したように、前記床根太部材５の端部を前記複数のガイド部材８、８間に嵌め込むことによって、これら複数のガイド部材８が前記床根太部材５の転び止めとしての役割を果たすことができるようになっている。
また、このガイド部材８を、前記端根太部材７と端根太部材７どうしの継ぎ合わせ部分に設けるには、予めどちらか一方の端根太部材７の端部に突出するようにして取り付けておくようにする。
【００３９】
また、前記床枠４の外周部上に配設された前記複数の端根太部材７、７どうし間の距離が、これら複数の端根太部材７、７間に取り付けられる前記複数の床根太部材５の長さ寸法よりも大きい場合に、前記複数の端根太部材７と平行する補助根太部材１１を前記床枠４内部の所定の位置に配設して、この補助根太部材１１と前記複数の端根太部材７との間に前記複数の床根太部材５を取り付けるようにする。
しかも、前記補助根太部材１１の両側面に、複数のガイド部材８を前記床根太部材５の端部が嵌まり込む間隔で前記補助根太部材１１の長さ方向に沿って取り付けておき、前記床根太部材５を前記大引部材３と直交する方向に配置するとともに、床根太部材５の端部を前記ガイド部材８、８間に嵌め込むようにする。
さらに、前記補助根太部材１１は、前記床枠４内部の所定の位置の距離が所定寸法よりも長い場合に、少なくとも２つ以上の補助根太部材１１を継ぎ合わせた状態で前記床枠４内部の所定の位置に配設されている。このように床枠４内部の所定の位置に配設する補助根太部材１１を２つ以上の補助根太部材１１で構成することによって、作業時や輸送時において運びやすくなるという利点がある。
【００４０】
このように前記床枠４の外周部上に配設された前記複数の端根太部材７、７どうし間の距離が、前記複数の床根太部材５の長さ寸法よりも大きい場合でも、前記床枠４内部の所定の位置に前記補助根太部材１１を配設することによって、前記補助根太部材１１から前記複数の端根太部材７までの距離を短くできるので、この間に前記複数の床根太部材５を取り付けることができ、これによって、これら複数の床根太部材５上に設置される床板を確実に、かつ強固に支持することが可能となる。
また、前記補助根太部材１１の両側面に、前記複数のガイド部材８を前記複数の床根太部材５の端部が嵌まり込む間隔で取り付けておくことから、前記床枠４内部の所定の位置に前記補助根太部材１１を配設した際に、前記複数の床根太部材５の端部を、前記複数のガイド部材８、８間に嵌め込むだけで、前記床根太部材５を正確な位置に取り付けることができるので、この床根太部材５の取り付け精度を格段に向上させることができるようになっている。その上、前記複数のガイド部材８を予め前記補助根太部材１１に取り付けておくことによって、現場に納入される建築材料の数を減らすこともきるので、その分だけ作業量および作業手間を減らして、建物床部Ａの作業性を格段に向上させることができるとともに、建物床部Ａの、延いては建物全体の施工工期を短縮することが可能となっている。
【００４１】
また、図１に示すように、前記側根太部材６と床根太部材５との間や、床根太部材５どうし間には、前記床根太部材５と直交し、かつこの床根太部材５とともに床板を受ける複数の下地受け材１４を一直線上に架け渡すようにする。
この時、前記下地受け材１４を前記側根太部材６に取り付けるには、図９に示すように、前記側根太部材６の内側面に、前記下地受け材の端部を嵌め込むための切欠部６ａを形成しておくようにする。一方、前記床根太部材５の両側面には、前記下地受け材１４の端部を受けるガイド材１４ａを予め取り付けておくことによって、前記側根太部材６と床根太部材５との間や、床根太部材５どうし間に前記下地受け材１４を簡単に架け渡すことができるようになっている。
このように、前記床根太部材５および側根太部材６に、前記下地受け材１４の端部を受けるガイド材５ａおよび切欠部６ａを設けておくことで、前記下地受け材１４を簡単に取り付けることができるだけでなく、床板をより確実に支持することが可能となる。
そして、この切欠部６ａの形成作業を予め工場等で行っておくことによって、現場での作業性を向上させることが可能となるので望ましい。
【００４２】
なお、本実施の形態では、大引部材３を用いることにより建物の最下階の施工について説明したが、建物の上階部分において前記大引部材３の代わりとして床梁部材を用いて施工を行っても良い。
【００４３】
次に、図１０および図１１に示すように、建物床部Ａには、建物の外面から突出してバルコニーや外部用の廊下を設けるために、床枠の外周部よりも外部側に張り出した張出部Ｂを形成する場合がある。
すなわち、前記床枠４の外周部より外部側に張り出す張出部Ｂを形成するに際し、
前記床枠４上に、前記床枠４の外周部よりも所定の長さ突出する複数の突出床根太部材１５を、前記床枠４の外周部と直交する方向に配設しておくとともに、
前記複数の突出床根太部材１５のうち、左右両端に位置する突出床根太部材１５、１５の先端部どうし間にわたって設けられる張出根太部材１６の内側面に、複数のガイド部材８を前記突出床根太部材１５の端部が嵌まり込む間隔で前記張出根太部材１６の長さ方向に沿って取り付けておき、
前記複数の突出床根太部材１５を前記床枠４の外周部と直交する方向に配置するとともに、複数の突出床根太部材１５を、その端部が前記隣り合うガイド部材８、８の間に嵌め込まれるようにして設けるようにする。
【００４４】
ここで、前記突出床根太部材１５は、建物内部においては床板を受けるために用いられ、前記床枠４よりも外部側に突出した部分は前記張出部Ｂを形成するために用いられる木材である。
【００４５】
また、これら複数の突出床根太部材１５を設ける際は、前記複数の床根太部材５と略同様の間隔で設けていくようにする。さらに、図１０に示すように、前記複数の突出床根太部材１５の途中が嵌め込まれ、かつこれら複数の突出床根太部材１５を前記床枠４の外周部と直交する方向に案内する複数の案内部材１７を、予め前記床枠４の上面に取り付けておくようにする。
【００４６】
このように、予め前記床枠４の上面に前記案内部材１７を取り付けておくことによって、前記複数の突出床根太部材１５を前記複数の案内部材１７、１７間に嵌め込みながら前記床枠４上に配設することができるので、前記複数の突出床根太部材１５を前記床枠４と直交する方向に容易に、かつ正確に案内することができる。これによって、前記複数の突出床根太部材１５の取り付け作業を簡略化することができ、これとともに、施工工期の短縮を図ることが可能となっている。
【００４７】
なお、これら複数の突出床根太部材１５は、その建物内部側の端部を、上述したように複数のガイド部材８、８間に嵌め込んでも良く、図１０および図１１に示すように、これら複数の突出床根太部材１５の端部を受けるための受け金物１５ａ等を用いても良い。
【００４８】
前記張出根太部材１６は、前記張出部Ｂの前面に位置し、その内側面には前記複数の突出床根太部材１５の端部を嵌め込むための複数のガイド部材８が取り付けられている。
【００４９】
前記案内部材１７は、前記床枠４の上面において、前記突出床根太部材１５の途中が嵌め込まれ、これら突出床根太部材１５を前記床枠４の外周部と直交する方向に案内するためのものであり、略矩形状に形成された短尺な板材が用いられている。
【００５０】
また、図１１に示すように、前記複数の突出部床根太部材５、５どうし間には、前記複数の案内部材１７とともに、複数の転び止め部材１８を設けるようにする。これは、前記複数の突出床根太部材１５の転びを防ぐとともに、前記床枠４上の高さ方向の隙間を埋めるために設けられるものである。このように高さ方向の隙間を埋めておくことによって、上述した下地受け材１４と同じ高さで上部に設けられる床板を安定的に支持することができるようになっている。
【００５１】
なお、本実施の形態の床枠４は、図４に示すように、建物の基礎１上面に沿って配設された複数の土台部材２と、対向する土台部材２、２間の所定の位置に架設された複数の大引部材３とからなる床枠４に限られるものではなく、例えば、建物下階の外壁上面および内壁上面の配置によって形成される床枠４であっても良い。また、このように建物下階の壁の上面には、壁どうしを連結させる頭つなぎ部材が取り付けられている。
したがって、前記張出部Ｂを、建物の１階部分や２階部分だけに限らず、建物の３階部分もしくはそれ以上の階層部分にも形成することができるので、建築、設計等における自由度を向上させることが可能となる。
【００５２】
そして、このように前記張出根太部材１６の内側面に、前記複数のガイド部材８を前記突出床根太部材１５の端部が嵌まり込む間隔で取り付けておくことによって、前記左右両端の突出床根太部材１５、１５の先端部どうし間にわたって前記張出根太部材１６を設ける際に、前記複数の突出床根太部材１５の端部を前記隣り合うガイド部材８、８の間に嵌め込むだけで、前記張出根太部材１６を正確な位置に取り付けることができるので、この張出根太部材１６の取り付け精度を格段に向上させることが可能となっている。
その上、前記複数のガイド部材８を予め前記張出根太部材１６に取り付けておくことによって、現場に納入される建築材料の数を減らすこともできるので、その分だけ作業量および作業手間を減らして、張出部Ｂの作業性を格段に向上させることができるとともに、張出部Ｂの、延いては建物全体の施工工期を短縮することが可能となる。
一方、前記突出床根太部材１５を前記床枠４上に配設し、前記床枠４より外部側に張り出した部分を前記張出部Ｂとすることによって、この張出部Ｂを建物床部Ａと連続的に形成することができるので、張出部Ｂにおける構造安定性を確保することが可能となっている。
【００５３】
以上のように、本実施の形態によれば、床枠４の外周部の上面に配設される端根太部材７の内側面に、複数のガイド部材８を複数の床根太部材５の端部が嵌まり込む間隔で取り付けておくことによって、前記床根太部材５の位置決めを容易に、かつ正確に行うことができるので、施工品質の安定性に優れ、なおかつ、建物床部Ａの作業性が格段に向上するとともに、建物床部Ａ、延いては建物全体の施工工期を短縮することができる。
一方、従来とは異なり、前記土台部材２や大引部材３、各根太部材等の建築材料をパネル化せずに施工に用いるので、建物や敷地条件に左右されること無く作業を行うことができるとともに、生産および輸送に係るコストを低減することが可能となる。
また、床枠４内部に配設される補助根太部材１１の両側面に、複数のガイド部材８を複数の床根太部材５の端部が嵌まり込む間隔で取り付けておくことによって、前記床根太部材５の位置決めを容易に、かつ正確に行うことができるとともに、前記複数の床根太部材５上に設置される床板を確実に、かつ強固に支持することが可能となる。
これによって、建物全体の施工性について総合的に考慮しつつ、特に建物床部Ａの施工性を格段に向上させることが可能となる。
【図面の簡単な説明】
【００５４】
【図１】建物床部を示す平面図である。
【図２】基礎上面に土台部材を配接したことを示す平面図である。
【図３】大引部材を示す平面図である。
【図４】床枠を示す平面図である。
【図５】側根太部材および端根太部材、補助根太部材を示す平面図である。
【図６】床根太部材を示す平面図である。
【図７】建物床部の一部であり、（ａ）は、基礎と土台部材、土台部材と大引部材、大引部材とガイド部、大引部材と束部材等の配置構造を示す斜視図であり、（ｂ）はガイド金物と大引部材、大引部材と束部材の配置構造を示す斜視図である。
【図８】（ａ）および（ｂ）は、大引受け金物を示す斜視図である。
【図９】建物床部の一部を示す斜視図である。
【図１０】張出部を備えた建物床部の斜視図である。
【図１１】張出部を備えた建物床部の斜視図である。
【符号の説明】
【００５５】
Ａ  建物床部
Ｂ  張出部
１  基礎
２  土台部材
３  大引部材
４  床枠
５  床根太部材
６  側根太部材
７  端根太部材
８  ガイド部材
１１  補助根太部材
１５  突出床根太部材
１６  張出根太部材
【図１】
0004751125.tif 000002
【図２】
0004751125.tif 000003
【図３】
0004751125.tif 000004
【図４】
0004751125.tif 000005
【図５】
0004751125.tif 000006
【図６】
0004751125.tif 000007
【図７】
0004751125.tif 000008
【図８】
0004751125.tif 000009
【図９】
0004751125.tif 000010
【図１０】
0004751125.tif 000011
【図１１】
0004751125.tif 000012